【事件の表示】
　平成１１年特許願第１５５７１７号「画像形成方法」拒絶査定不服審判事件〔平成１２年１２月１５日出願公開、特開２０００−３４７４５８〕について、次のとおり審決する。
【結　論】
　本件審判の請求は、成り立たない。
【理　由】
１．手続の経緯・本願発明
 　本願は、平成１１年６月２日の出願であって、その請求項１ないし６に係る発明は、平成１６年４月１２日付けの手続補正書によって補正された明細書及び図面の記載からみて、その特許請求の範囲の請求項１ないし６に記載された事項により特定されるとおりのものであり、請求項１に係る発明は次のとおりのものと認める。
 「夫々色の異なるトナー粒子を夫々有する複数色のトナーを夫々有する複数の現像剤を用い、潜像保持体を現像してトナー像を形成する現像工程と、該潜像保持体上に形成されたトナー像を記録材に転写する転写工程とを複数回行って記録材上に少なくとも２色以上のトナー像を重ね合わせて形成し、多色可視像を得る画像形成方法において、少なくとも１色以上のトナー粒子が、懸濁重合法によって製造されたものであって、且つ染料及び顔料を併用した着色剤、サリチル酸金属化合物及び主体極大ピーク値が４０〜１２０℃を示す低軟化点物質を含むトナー粒子であり、且つ、フロー式粒子像分析装置によって測定されるトナーの円形度分布において、上記複数色のトナーのいずれもが０．９２０〜０．９９５の平均円形度を示し、更に、トナー中における該円形度の値が０．９５０未満のトナー粒子の含有率が２〜４０個数％の範囲に制御されていることを特徴とする画像形成方法。」（以下、「本願発明」という。）
　
２．引用刊行物記載の発明
　原査定の拒絶の理由に引用された、本願出願前に頒布された刊行物である、刊行物１（原査定の引用文献１１）、刊行物２（原査定の引用文献９）、刊行物３（原査定の引用文献８）、及び刊行物４（原査定の引用文献１）には下記の事項がそれぞれ記載されている。
　
（刊行物１：特開平１０−３３３３５９号公報の記載事項）
(1a)「【請求項２５】静電潜像を保持するための潜像保持体の表面を帯電する工程；帯電された該潜像保持体の表面に静電潜像を形成する工程；該静電潜像をトナーによって現像し、トナー画像を形成する工程；現像された該トナー画像を中間転写体を介して又は介さずに記録材に転写する工程；及び転写された該トナー画像を該記録材に定着する工程；を有する画像形成方法において、
該トナーは、少なくとも結着樹脂、着色剤及び離型剤を含有しており、
該トナーのＴＨＦ可溶成分のゲルパーミエーションクロマトグラフィー（ＧＰＣ）による分子量分布において・・・を満たしていることを特徴とする画像形成方法。・・・
【請求項４０】該離型剤は、４０℃〜１２０℃の領域に、ＤＳＣ測定による最大吸熱ピークを有するワックスを有していることを特徴とする請求項２５乃至３９のいずれかに記載の画像形成方法。・・・
【請求項４５】該トナーは、重合性単量体、着色剤及び離型剤を少なくとも含有する重合性単量体組成物を重合開始剤の存在下で、水系媒体中で重合して得られるトナー粒子を有していることを特徴とする請求項２５乃至４３のいずれかに記載の画像形成方法。・・・
【請求項５８】 該トナーは、マゼンタ着色剤を有するマゼンタトナー、シアン着色剤を有するシアントナー、イエロー着色剤を有するイエロートナー及びブラック着色剤を有するブラックトナーであり、該トナー画像は、該マゼンタトナー、該シアントナー、該イエロートナー及び該ブラックトナーを有しているフルカラートナー画像であることを特徴とする請求項２５乃至５７のいずれかに記載の画像形成方法。」
(1b)「【０００５】特にフルカラートナーを用い画像形成等を行う場合は、単色トナーを多層に重ね合わせた後、加熱溶融させることにより混色され、いわゆる二次色の発色をもたらす為に、あまりに高温の熱履歴を与えた場合はオフセット現象を生じたりする。」
(1c)「【００４８】【発明が解決しようとする課題】本発明の目的は、低温定着性を損なうことなく、感光体へのフィルミングや、キャリアやスリーブなどのトナー担持体の表面を汚染しにくく、且つ耐オフセット性及び耐久性の優れた静電荷像現像用トナーを提供することにある。・・・
【００５０】本発明の目的は、鮮明なカラーＯＨＰ画像が得られる静電荷像現像用トナーを提供することにある。」
(1d)「【００９９】本発明の静電荷像現像用トナーに用いられる離型剤である低軟化点物質としては、パラフィンワックス・・・エステルワクス・・・これらは低分子量成分が除去されたＤＳＣ吸熱曲線の最大吸熱ピークがシャープなものが好ましい。・・・
【０１０２】本発明に使用される離型剤は、ＤＳＣ吸熱曲線において、好ましくは４０〜１２０℃、より好ましくは４０〜９０℃、さらに好ましくは、４５〜８５℃の温度領域に最大吸熱ピークを有することが好ましい。極大吸熱ピークが４０℃未満であると低軟化点物質の自己凝集力が弱くなり、結果として耐高温オフセット性が弱くなり好ましくない。極大吸熱ピークが１２０℃を超えると定着温度が高くなり、更に、造粒中に低軟化点物質が析出してきて懸濁系を乱す為、好ましくない。」
(1e)「【０１１１】本発明のトナーは、重合性単量体組成物を重合することによりトナー粒子を製造する重合法によって得られる重合トナーであることが好ましい。・・・
【０１１２】重合法でトナー粒子を製造する場合には、トナーの粒度分布制御や粒径の制御は、水系媒体中に添加する難水溶性の無機塩や保護コロイド作用をする分散剤の種類や添加量を変える方法；水系媒体中での造粒時に用いる機械的装置条件・・・水溶液中での固形分濃度を制御すること；により、適宜コントロールすることが可能である。」
(1f)「【０１２３】イエロー着色剤としては、縮合アゾ化合物、イソインドリノン化合物、アントラキノン化合物、アゾ金属錯体、メチン化合物、アリルアミド化合物に代表される化合物が用いられる。具体的には、Ｃ．Ｉ．ピグメントイエロー・・・が好適に用いられる。
【０１２４】マゼンタ着色剤としては、縮合アゾ化合物、ジケトピロロピロール化合物、アントラキノン、キナクリドン化合物、塩基染料レーキ化合物、ナフトール化合物、ベンズイミダゾール化合物、チオインジゴ化合物、ペリレン化合物が用いられる。具体的には、Ｃ．Ｉ．ピグメントレッド・・・が特に好ましい。
【０１２５】本発明に用いられるシアン着色剤としては、銅フタロシアニン化合物及びその誘導体、アントラキノン化合物、塩基染料レーキ化合物が利用できる。具体的にはＣ．Ｉ．ピグメントブルー・・・が特に好適に利用できる。
【０１２６】これらの着色剤は、単独又は混合し、更には固溶体の状態で用いることができる。
【０１２７】本発明の着色剤は、カラートナーの場合、色相角，彩度，明度，耐候性，ＯＨＰ透明性及びトナー粒子中への分散性の点を考慮して選択される。」
(1g)「【０１２９】本発明に用いられる荷電制御剤としては、公知のものが利用できるが、カラートナーとする場合は、特に無色でトナーの帯電スピードが速く、且つ一定の帯電量を安定して維持できる荷電制御剤が好ましい。更に、重合法により得られるトナーの場合、重合阻害性が無く水系への可溶化物の無い荷電制御剤が特に好ましい。
【０１３０】具体的化合物としては、ネガ系としてサリチル酸・・・それらの誘導体の金属化合物」
(1h)実施例１９には、実施例１０で用いたカーボンブラックに代えて着色剤としてＣ．Ｉ．ピグメントイエロー１７を用いたイエロートナーＩＩ及び二成分系現像剤、着色剤としてキナクリドン顔料を用いたマゼンタトナーＪＪ及び二成分系現像剤、着色剤としてＣ．Ｉピグメントブルー１５：３を用いたシアントナーＫＫ及び二成分系現像剤、実施例１０のブラックトナーＡＡを含有する二成分系現像剤の４色の二成分系現像剤を用いて、記録材上に転写された４色のカラートナーを有するフルカラー画像を、定着器として・・・加圧ローラーを有する加熱ローラー定着器を用いた結果、耐オフセット性が高く、定着温度領域の広いトナー特性が得られ、多層のトナー形成により呈される色を十分な混色性および優れた彩度が得られ、フルカラー画像の品質が向上したことが記載されている。（【０４６５】〜【０４８２】）
　また、実施例１０には、スチレン、ｎ−ブチルアクリレート、カーボンブラック、ジターシャリブチルサリチル酸ＡＩ化合物、飽和ポリエステル、エステルワックス （ＤＳＣ最大吸熱ピーク：６８℃）、ジビニルベンゼンを均一に溶解、分散し、重合開始剤を溶解し、重合性単量体組成物を調整すること、イオン交換水に、Ｎａ3 ＰＯ4 水溶液、ＣａＣｌ2 水溶液を混合して、Ｃａ3 （ＰＯ4 ）2 を含む水系媒体を得ること、この水系媒体中に上記重合性単量体組成物を投入し、重合性単量体組成物を造粒し、重合反応を行い、重合反応終了後、冷却し、塩酸を加えリン酸カルシウムを溶解させた後、ろ過、水洗、乾燥をして、重量平均粒径６．８μｍの黒色重合粒子（ブラックトナー粒子）を得たこと、得られたブラックトナー粒子に、シリカ微粉体、疎水性酸化チタン微粒子を加え、ヘンシェルミキサーで混合し、ブラックトナーＡＡとしたこと、更にブラックトナーＡＡとフェライトキャリアを混合することによって二成分現像剤ＡＡを作製したことが記載されている。【０３９６】〜【０４０１】
(1i)実施例及び比較例のトナー粒子は、すべて、電荷制御剤として、サリチル酸金属化合物を含有している。
(1j)【図７】及び【０１６２】〜【０１６９】には、マゼンタ、シアン、イエロー、ブラックのトナー像の形成及び転写を順次行い、色を重ね合わせて、フルカラー画像を形成することが記載されている。
　
（刊行物２：特開平８−３１４１８９号公報の記載事項）
(2a)「【請求項１】  結着樹脂として・・・ポリエステル樹脂を含有し、かつマゼンタ着色剤として、アントラキノン系マゼンタ染料とキナクリドン系マゼンタ顔料とを含有することを特徴とする熱ロール定着用マゼンタトナー。」
(2b)「【００１２】【発明が解決しようとする課題】本発明の目的は、マゼンタトナーとして優れた色特性、ＯＨＰ透光性および耐塩ビ性を有しており・・・
【００１３】さらに本発明の目的は、イエロートナーあるいはシアントナーと重ね合わせた場合に優れた２次色再現性を有するフルカラートナー用のマゼンタトナーを提供することにある。」
(2c)「【００３２】これに対して、本発明においてはアントラキノン系マゼンタ染料とキナクリドン系マゼンタ顔料とを併用することにより、ＯＨＰに対する鮮明性および２次色再現性を向上させることができ」
(2d)「【００５１】本発明のトナーは、上記ポリエステル樹脂および着色剤、所望によりその他の成分を、混練・粉砕法により製造することが、製造コストおよび製造安定性の観点から好ましい。」
　
（刊行物３：特開昭５９−２６７５７号公報）
(3a)「イエロー、マゼンタ、シアンのカラートナー用着色剤として、ＣＩ．Ｓｏｌｖｅｎｔ　Ｙｅｌｌｏｗ７７及びＣＩ．Ｄｉｓｐｅｒｓｅ　Ｙｅｌｌｏｗ１６４、ＣＩ．Ｓｏｌｖｅｎｔ　Ｒｅｄ５３及びＣＩ．Ｓｏｌｖｅｎｔ　Ｒｅｄ４９、ＣＩ．Ｐｉｇｍｅｎｔ　Ｂｌｕｅ１５を使用するカラー電子写真現像方法。」（特許請求の範囲）
(3b)「本発明の目的とするところは、好ましい分光反射特性を有するトナー・・・また別の目的は、イエロー、マゼンタ、シアンの混色において良好な混色性を示し幅広い色調再現性の得られるトナーによる現像方法を提供するものである。」（第２頁左下欄第８行目〜第１４行目）
(3c)「本発明におけるカラートナーは結着樹脂中に容易に分散又は溶解し、すぐれた色相及び明度を有している。」（第３頁左上欄第７行目〜第９行目）
(3d)実施例及び比較例には、粉砕法で製造した、イエロー、マゼンタ、シアンの各トナーを用いた画像形成について記載され、実施例のイエロートナーは、ＣＩ．Ｓｏｌｖｅｎｔ　Ｙｅｌｌｏｗ７７及びＣＩ．Ｄｉｓｐｅｒｓｅ　Ｙｅｌｌｏｗ１６４を用い、比較例のイエロートナーはＣＩ．Ｄｉｓｐｅｒｓｅ　Ｙｅｌｌｏｗ６１を用いたものが記載され（第４頁左上欄第１２行目〜第５頁右上欄下から２行目）、第７図には、実施例のイエロートナーの方が、比較例よりも、カラーサークルの外周に近いことが示されている（第９頁第７図）。
　また、カラーサークルは、外周が最も濁りのない明度の高い色であることが記載されている（第４頁右下欄第１行目〜第７行目）。
　
（刊行物４：特開平１１−５２６１８号公報）
(4a)「【請求項１】多色画像を再現するフルカラー画像形成に使用される非磁性１成分現像剤において、この非磁性１成分現像剤が、少なくとも酸価１〜３０ＫＯＨｍｇ／ｇのバインダー樹脂及びピグメントイエロー１８０に分類される化合物を含有してなる負荷電性非磁性トナー粒子を含有してなり、このトナー粒子の円形度が０．９４〜１．０、円形度の標準偏差が０．０４５以下及び重量平均粒径が２〜９μｍ、トナーの粒径分布において重量平均粒径の２倍以上の粒径を有するトナー粒子の含有量が２重量％以下で、且つ重量平均粒径の１／３以下のトナー粒子の含有量が５個数％以下であることを特徴とする非磁性１成分現像剤。」
(4b)「【０００９】即ち、本発明は、透光性および色再現性に優れた非磁性１成分現像剤を提供することを目的とする。・・・
【００１１】また、本発明は、多色画像形成時にも優れた転写性を有する非磁性１成分現像剤を提供することを目的とする。」
(4c)「【００２４】本発明において、トナー粒子は公知の方法により製造することができ特に限定されず、例えば混練粉砕法、懸濁重合法、乳化重合法、乳化分散造粒法、カプセル化法等によって製造することができる。」
(4d)「【００２７】また、本発明に係るトナー粒子は、その円形度（平均円形度）が０．９４〜１．０であり、且つ円形度の標準偏差が０．０４５以下であることが必要である。これは円形度が０．９４より小さい場合には、像担持体や中間転写体に対するトナー粒子の静電的な付着力が強くなってしまうため、転写不良が生じやすくなるためである。また円形度の標準偏差が０．０４５より大きい場合には、トナー粒子毎の帯電量のバラツキが大きくなり、カブリや転写不良の要因となるためである。さらに上述した観点から円形度は好ましくは０．９４５〜０．９９、より好ましくは０．９５〜０．９８であり、円形度の標準偏差は好ましくは０．０４０以下、より好ましくは０．０３５以下である。
【００２８】なお、円形度は（相当円の周囲長／粒子投影像の周囲長）で表され、フロー式粒子像分析装置（ＦＰＩＡ−１０００：東亜医用電子社製）を用いて水分散系で測定した。」
(4e)実施例及び比較例には、混練粉砕法によりトナー粒子を製造することが記載されている。
　
３．対比
　上記刊行物１の記載事項（上記(1a)(1h)(1i)(1j)）から、刊行物１には、「静電潜像を保持するための潜像保持体の表面を帯電する工程；帯電された該潜像保持体の表面に静電潜像を形成する工程；該静電潜像をトナーによって現像し、トナー画像を形成する工程；現像された該トナー画像を中間転写体を介して又は介さずに記録材に転写する工程；及び転写された該トナー画像を該記録材に定着する工程；を有する画像形成方法において、イエロートナー、マゼンタトナー、シアントナー、ブラックトナーを夫々有する現像剤用い上記各工程を複数回行ってトナー像を重ね合わせるフルカラー画像形成方法であって、各トナーはそれぞれの色のトナー粒子を有し、各トナー粒子は、少なくとも結着樹脂、着色剤、サリチル酸金属化合物、及び離型剤を含有しており、離型剤は、４０℃〜１２０℃の領域にＤＳＣ測定による最大吸熱ピークを有するワックスであり、トナー粒子は、重合性単量体、着色剤及び離型剤を少なくとも含有する重合性単量体組成物を重合開始剤の存在下で、水系媒体中で重合して得られるものである、フルカラー画像形成方法」の発明（以下、「刊行物１発明」という。）が記載されていると認められる。
　本願発明と刊行物１発明とを比較する。
　刊行物１発明の「イエロートナー、マゼンタトナー、シアントナー、ブラックトナーを夫々有する現像剤」、「静電潜像をトナーによって現像し、トナー画像を形成する工程」、「現像された該トナー画像を中間転写体を介して又は介さずに記録材に転写する工程」、「イエロートナー、マゼンタトナー、シアントナー、ブラックトナーを用い上記各工程を複数回行ってトナー像を重ね合わせるフルカラー画像形成方法」、「トナー粒子は、重合性単量体、着色剤及び離型剤を少なくとも含有する重合性単量体組成物を重合開始剤の存在下で、水系媒体中で重合して得られるもの」、「４０℃〜１２０℃の領域にＤＳＣ測定による最大吸熱ピークを有するワックス」は、
　本願発明の「夫々色の異なるトナー粒子を夫々有する複数色のトナーを夫々有する複数の現像剤」、「潜像保持体を現像してトナー像を形成する現像工程」、「潜像保持体上に形成されたトナー像を記録材に転写する転写工程」、「現像工程と・・・転写工程とを複数回行って記録材上に少なくとも２色以上のトナー像を重ね合わせて形成し、多色可視像を得る画像形成方法」、「トナー粒子が、懸濁重合法によって製造されたもの」、「主体極大ピーク値が４０〜１２０℃を示す低軟化点物質」にそれぞれ相当する。
　したがって、本願発明と刊行物１発明との間には、下記のような一致点及び相違点がある。
　
（一致点）
　夫々色の異なるトナー粒子を夫々有する複数色のトナーを夫々有する複数の現像剤を用い、潜像保持体を現像してトナー像を形成する現像工程と、該潜像保持体上に形成されたトナー像を記録材に転写する転写工程とを複数回行って記録材上に少なくとも２色以上のトナー像を重ね合わせて形成し、多色可視像を得る画像形成方法において、少なくとも１色以上のトナー粒子が、懸濁重合法によって製造されたものであって、着色剤、サリチル酸金属化合物及び主体極大ピーク値が４０〜１２０℃を示す低軟化点物質を含むトナー粒子である画像形成方法である点。
（相違点１）
　本願発明の着色剤が、染料及び顔料を併用したものであるのに対して、刊行物１発明は、染料及び顔料を併用することを規定していない点。
（相違点２）
　本願発明のトナー粒子が、フロー式粒子像分析装置によって測定されるトナーの円形度分布において、複数色のトナーのいずれもが０．９２０〜０．９９５の平均円形度を示し、更に、トナー中における円形度の値が０．９５０未満のトナー粒子の含有率が２〜４０個数％の範囲に制御されているのに対して、刊行物１発明は、トナー粒子の円形度を規定していない点。
　
４．判断
（相違点１について）
　刊行物２及び３には、トナー粒子の着色剤として、特定の染料と特定の顔料を併用したトナーが記載され、これにより画像の鮮明性や色調の再現性が向上することが記載され、トナー粒子の製造方法については、実施例に粉砕法だけが記載されている。さらに、特開平６−１９２０５号公報（【請求項１】【００３２】）には、懸濁重合法により製造されたトナーについて、特開平１０−１７１１５４号公報（【００９１】【０２２８】【０２５８】）には、粉砕法、或いは懸濁重合法により製造されたトナーについて、着色剤として、染料と顔料と併用して鮮明性を向上させた方が、フルカラー画像の画質の点から好ましいことが記載されるように、粉砕法トナー、懸濁重合法トナーのいずれにおいても、着色剤として、染料と顔料と併用して、カラー画像の鮮明性等を向上させることは、本願出願前の周知技術であったといえる。
　そして、刊行物１（上記(1f)）には、顔料と染料を混合するかどうかは不明であるものの、着色剤を混合して用いることができることが示唆され、さらに、着色剤は、カラートナーの場合、色相角、彩度、明度、耐候性、ＯＨＰ透明性及びトナー粒子中への分散性を考慮して選択されることが記載されているから、刊行物１発明において、フルカラー画像の鮮明性や色調再現性が向上するように、着色剤として、染料及び顔料を併用することは、当業者が容易になし得たものといえる。
　
（相違点２について）
　刊行物４（上記(4b)(4c)(4d))には、フルカラー画像形成に使用される現像剤のトナー粒子の円形度が０．９４〜１．０、円形度の標準偏差が０．０４５以下のものを用いると、多色カラー形成時にも優れた転写性を有することが記載され、トナー粒子の製造法としては、実施例には混練粉砕法が記載されているが、懸濁重合法等でも製造することができることも記載されている（上記(4c))。そして、懸濁重合法により、円形度が０．９４程度以上のトナー粒子を製造することは、例えば、特開平９−６８８６２号公報（【請求項１】【請求項２】【００６０】）、特開平１１−７２９６１号公報（【請求項１】【請求項７】）にも記載されるように本願出願前の周知技術であるし、トナー粒子の円形度や円形度の分布が転写性やクリーニング性に影響することは、刊行物４、特開平１０−９７０９５号公報（【００３５】）に記載されるように本願出願前に周知であるから、刊行物１記載の懸濁重合法トナーにおいて、転写性やクリーニング性等を考慮して最適な平均円形度及び円形度の分布を決定し、トナーのいずれもが０．９２０〜０．９９５の平均円形度を示し、トナー中における円形度の値が０．９５０未満のトナー粒子の含有率が２〜４０個数％の範囲に制御することは、当業者が容易になし得たものといえる。
　
（本願発明の効果について）
　本願発明の、フルカラー画像が極めて鮮明で、２次色の再現性に優れ、ＯＨＰシートのフルカラー画像が光透過性と鮮明性に優れるという効果は、刊行物１ないし４及び周知技術から、予測しうるものであり、上記２つの相違点に係る構成を組み合わせたことで、予測し得ない顕著な効果が奏されるというものでもない。
　
（審判請求人の主張について）
　審判請求の理由で、請求人は、低軟化点化合物を含有させた場合においても、サリチル酸金属化合物を含有させることで、更に顔料の分散性を高めることができること（本願明細書（段落【００３４】【００３５】））を主張するが、本願発明が、サリチル酸金属化合物及び低軟化点物質を含有する点は、上記のとおり、刊行物１発明との相違点とはならず、サリチル酸金属化合物が着色剤の分散剤として作用することは、刊行物１発明にも内在している作用であるといえる。
　なお、サリチル酸金属化合物が着色剤の分散剤として作用することは、特開平７−７７８３３号公報に記載されるように公知である。
　
５．むすび
　以上のとおり、本願請求項１に係る発明は、刊行物１ないし４に記載された発明及び周知技術に基づいて当業者が容易に発明をすることができたものであるから、特許法第２９条第２項の規定により特許を受けることができない。
　したがって、請求項２ないし６に係る発明についての判断を示すまでもなく、本願は拒絶すべきものである。
　よって、結論のとおり審決する。